(57)【要約】【課題】  折り畳み式の携帯端末装置およびその製造方法において、フレキシブル配線基板やそれと接続される回路基板の健全性を確保することができ、かつそのようなフレキシブル配線基板をヒンジ部内へと容易に組み込むことができるようにする。【解決手段】  複数の筐体２ａが、内部に空洞部１６を有するヒンジ部４により回転可能に連結された携帯端末装置１において、前記空洞部１６内に設けられた軸部１００と、この軸部１００の外方に設けた外筒部と、取付孔１１３とを備え、前記外筒部が前記取付孔１１３に取り付けられることにより、前記軸部１００が、前記空洞部１６内において支持されており、導体２２の一端が一方の前記回路基板１５ａに電気的に接続され、他端が前記外筒部内を通されて他方の前記回路基板に電気的に接続されていることを特徴とする。【選択図】        図２
2006186638.tif 000002
【特許請求の範囲】
【請求項１】
回路基板をそれぞれ内蔵した複数の筐体が、内部に空洞部を有するヒンジ部により回転可能に連結された携帯端末装置において、
前記複数の筐体を渡り前記回路基板同士を電気的に接続するための導体を案内する軸部と、
この軸部の外方に設けた外筒部と、
前記ヒンジ部の内壁部に設けられた取付孔とを備え、
前記外筒部が前記取付孔に取り付けられることにより、前記軸部が、前記空洞部内において前記ヒンジ部の軸線方向に向けられて支持されており、
前記導体の一端が一方の前記回路基板に電気的に接続され、他端が前記外筒部の内側を通されて他方の前記回路基板に電気的に接続されていることを特徴とする携帯端末装置。
【請求項２】
前記軸部は、前記軸線方向に前記外筒部を超えて延びる延在部を備え、
この延在部に前記導体が巻き付けられていることを特徴とする請求項１に記載の携帯端末装置。
【請求項３】
前記軸部に形成されたスリット内に前記導体が通されており、前記スリットによって前記導体が案内されていることを特徴とする請求項１または請求項２に記載の携帯端末装置。
【請求項４】
前記スリットの開口部に面取り部を備えることを特徴とする請求項３に記載の携帯端末装置。
【請求項５】
前記軸部の外方で、かつ、前記外筒部の内周面との間に案内孔が形成されており、この案内孔に前記導体の他端側が通されていることを特徴とする請求項１から請求項４のいずれか一項に記載の携帯端末装置。
【請求項６】
前記導体の一端側と他端側との前記軸部からの延伸方向が、互いに交差していることを特徴とする請求項１から請求項５のいずれか一項に記載の携帯端末装置。
【請求項７】
前記導体が、展開状態において上面視Ｌ字状に形成されており、
前記一端側が、前記軸部の長さ方向に交差する方向に延ばされて、前記導体のＬ字状の曲部を起点として前記軸部に巻き付けられるとともに、前記他端側が、前記長さ方向に延ばされていることを特徴とする請求項６に記載の携帯端末装置。
【請求項８】
前記導体が、フレキシブル基板であることを特徴とする請求項１から請求項７のいずれか一項に記載の携帯端末装置。
【請求項９】
前記軸部が、この軸部の前記空洞部内における設置位置を決める位置決め手段を備えることを特徴とする請求項１から請求項８のいずれか一項に記載の携帯端末装置。
【請求項１０】
回路基板をそれぞれ内蔵した複数の筐体が、内部に空洞部を有するヒンジ部により回転可能に連結された携帯端末装置の製造方法において、
前記回路基板同士を電気的に接続するための導体を案内する軸部に前記導体を巻き付けて、前記軸部から前記導体の一端側および他端側を延ばす巻き付け工程と、
この巻き付け工程によって導体が巻き付けられた軸部に、前記他端側を通して筒状の外筒部を嵌め込む嵌め込み工程と、
この嵌め込み工程によって軸部に嵌め込まれた外筒部を、前記ヒンジ部の内壁部に設けられた取付孔に取り付ける取付工程と、
この取付工程によって外筒部が取り付けられた状態において、前記軸部から延びる導体の一端および他端を、前記回路基板にそれぞれ電気的に接続する接続工程と、を備えることを特徴とする携帯端末装置の製造方法。
【請求項１１】
前記軸部に、この軸部の長さ方向に前記外筒部を超えて延びる延在部が設けられており、
前記巻き付け工程により、前記導体が前記延在部に巻き付けられることを特徴とする請求項１０に記載の携帯端末装置の製造方法。
【請求項１２】
前記巻き付け工程により、前記軸部に導体が巻き付けられて、前記一端側と前記他端側とが互いに交差する方向に延ばされることを特徴とする請求項１０または請求項１１に記載の携帯端末装置の製造方法。
【請求項１３】
前記軸部に、この軸部の前記空洞部内における設置位置を決める位置決め手段が設けられており、
前記嵌め込み工程において、前記軸部が、前記位置決め手段により、前記空洞部内における所定の設置位置に設置されることを特徴とする請求項１０から請求項１２のいずれか一項に記載の携帯端末装置の製造方法。
【発明の詳細な説明】
【技術分野】
【０００１】
本発明は、携帯電話機やＰＤＡ（Personal digital Assistants ）等の携帯端末装置およびその製造方法に関するものである。
【背景技術】
【０００２】
従来より、携帯端末装置の一種として、操作キーを備えた第１の筐体と、表示装置を備えた第２の筐体とをヒンジ部で開閉可能に連結した、いわゆる折り畳み式の携帯端末装置がある。この種の携帯端末装置では、各筐体に内蔵された回路基板同士を電気的に接続するために、ヒンジ部に設けた空洞部にフレキシブル基板を挿通させている。その空洞部においてフレキシブル配線基板を螺旋状に巻くことにより、筐体の開閉に伴う配線距離の変動を吸収するようになっている（例えば、特許文献１，特許文献２参照）。
【特許文献１】特開２００２−３１４６５９号公報
【特許文献２】特開２００４−２０７４４６号公報
【発明の開示】
【発明が解決しようとする課題】
【０００３】
しかしながら、上記のような従来の折り畳み式の携帯端末装置では、筐体の開閉に応じて張力が掛かる。したがって、従来のようにフレキシブル配線基板を単純に螺旋状に巻いて空洞部内に収容しただけでは、何らかの原因でフレキシブル配線基板に局所的な応力が集中した場合に、フレキシブル配線基板が屈曲して断線や導通不良などの発生要因となるなどして、いわゆる内部配線の健全性が損なわれる虞がある。
【０００４】
また、上記のようなフレキシブル配線基板を螺旋状に巻いてヒンジ部に収容する構造を備えた従来の折り畳み式の携帯端末装置では、螺旋状に巻いたフレキシブル配線基板を、巻いた状態のまま作業者等が指で保持しながらヒンジ部に組み込む作業が容易ではない傾向にある。あるいは、開閉時にフレキシブル配線基板がヒンジの回動軸方向に位置ずれを起こすなどして、捩じれてしまう虞もある。
【０００５】
本発明は、このような問題点を解決するためになされたもので、フレキシブル配線基板のヒンジ部内での耐久性を向上させ、フレキシブル配線基板やそれと接続される回路基板の健全性を確保することができ、かつそのようなフレキシブル配線基板をヒンジ部内へと組み込む工程を容易なものとすることができる携帯端末装置およびその製造方法を提供することを目的としている。
【課題を解決するための手段】
【０００６】
上記課題を解決するために、本発明は以下の手段を提供する。
本発明は、回路基板をそれぞれ内蔵した複数の筐体が、内部に空洞部を有するヒンジ部により回転可能に連結された携帯端末装置において、前記筐体を渡り前記回路基板同士を電気的に接続するための導体を案内する軸部と、この軸部の外面に設けられた外筒部と、
前記ヒンジ部の内壁部に設けられた取付孔とを備え、前記外筒部が前記取付孔に取り付けられることにより、前記軸部が、前記空洞部内において前記ヒンジ部の軸線方向に向けられて支持されており、前記導体の一端が一方の前記回路基板に電気的に接続され、他端が前記外筒部内を通されて他方の前記回路基板に電気的に接続されていることを特徴とする。
【０００７】
また、本発明は、前記軸部が、前記軸線方向に前記外筒部を超えて延びる延在部を備え、この延在部に前記導体が巻き付けられていることを特徴とする。
【０００８】
また、本発明は、前記軸部に形成されたスリット内に前記導体が通されており、前記スリットによって前記導体が案内されていることを特徴とする。
【０００９】
前記軸部の外面と前記外筒部の内周面との間に案内孔が形成されており、この案内孔に前記導体の他端側が通されていることを特徴とする。
【００１０】
また、本発明は、前記導体の一端側と他端側との前記軸部からの延伸方向が、互いに交差していることを特徴とする。
【００１１】
また、本発明は、前記導体が、展開状態において上面視Ｌ字状に形成されており、前記一端側が、前記軸部の長さ方向に交差する方向に延ばされて、前記導体のＬ字状の曲部を起点として前記軸部に巻き付けられるとともに、前記他端側が、前記長さ方向に延ばされていることを特徴とする。
【００１２】
また、本発明は、前記導体が、フレキシブル基板であることを特徴とする。
また、本発明は、前記軸部が、この軸部の前記空洞部内における設置位置を決める位置決め手段を備えることを特徴とする。
また、本発明は、前記外面が面取り部を備えることを特徴とする。
【００１３】
また、本発明は、回路基板をそれぞれ内蔵した複数の筐体が、内部に空洞部を有するヒンジ部により回転可能に連結された携帯端末装置の製造方法において、前記回路基板同士を電気的に接続するための導体を案内する軸部に前記導体を巻き付けて、前記軸部から前記導体の一端側および他端側を延ばす巻き付け工程と、この巻き付け工程によって導体が巻き付けられた軸部に、前記他端側を通して筒状の外筒部を嵌め込む嵌め込み工程と、この嵌め込み工程によって軸部に嵌め込まれた外筒部を、前記ヒンジ部の内壁部に設けられた取付孔に取り付ける取付工程と、この取付工程によって外筒部が取り付けられた状態において、前記軸部から延びる導体の一端および他端を、前記回路基板にそれぞれ電気的に接続する接続工程と、を備えることを特徴とする。
【００１４】
また、本発明は、前記軸部に、この軸部の長さ方向に前記外筒部を超えて延びる延在部が設けられており、前記巻き付け工程により、前記導体が前記延在部に巻き付けられることを特徴とする。
【００１５】
また、本発明は、前記巻き付け工程により、前記軸部に導体が巻き付けられて、前記一端側と前記他端側とが互いに交差する方向に延ばされることを特徴とする。
また、本発明は、前記軸部に、この軸部の前記空洞部内における設置位置を決める位置決め手段が設けられており、前記嵌め込み工程において、前記軸部が、前記位置決め手段により、前記空洞部内における所定の設置位置に設置されることを特徴とする。
【発明の効果】
【００１６】
以上のように、本発明によれば、ヒンジ部内に設けられた軸部に導体が巻かれることによって、導体がヒンジ部内で支持され、これにより導体のヒンジ部内での耐久性を向上させ、導体やそれと接続される回路基板の健全性を確保することができる。また、導体の他端側を外筒部内に通すことにより、導体の巻き付け状態が少なからず保持されるとともに、その他端側を保護することができるため、導体の組み付け作業を容易かつ迅速に行うことができる。
【発明を実施するための最良の形態】
【００１７】
（実施例）
以下、本発明の実施例における携帯端末装置について、図面を参照して説明する。
図１は、本発明を携帯電話機に適用した場合の例を示す図であって、符号１は携帯電話機を示している。
【００１８】
この携帯電話機１は、２つの筐体２ａ，２ｂがヒンジ部４により軸線Ｌを中心として相対回転可能に連結された折り畳み式のものである。各筐体２ａ，２ｂは、本体部６ａ，６ｂとヒンジ構成部７，８とからなっている。本体部６ａには操作キー９が、本体部６ｂにはＬＣＤ等の表示部１０がそれぞれ設けられ、これらを制御する図３に示す回路基板１５ａ，１５ｂが内部に収容されている。また、各ヒンジ構成部７，８は、各本体部６ａ，６ｂの長さ方向の一端に設けられており、それらが組み合わされることによりヒンジ部４が構成されている。一方の筐体２ａのヒンジ構成部７は、筐体２ａの幅方向の両端であって、共通の中心軸線上に配置されている円筒部７ａ，７ｂからなる。他方の筐体２ｂのヒンジ構成部８は、筐体２ｂの幅方向の中央に配される円筒部８ａからなる。
【００１９】
そして、ヒンジ部４は、円筒部７ａ，８ａ，７ｂが軸線Ｌ上に交互に配置されてなり、２つの筐体２ａ，２ｂを連結している。このヒンジ部４内には、図２に示すように、空洞部１６が形成されている。
さらに、本実施例において、ヒンジ部４内の軸線Ｌ方向の一方の端壁部（内壁部）１１４には、軸線Ｌ方向に貫通する取付孔１１３が形成されている。また、空洞部１６内には、ほぼ円柱状のヒンジシャフト（軸部）１００が設けられている。このヒンジシャフト１００は、図５に示すように、後述するダミーヒンジ（外筒部）１０２が嵌め込まれる嵌め込み部１１１と、ヒンジシャフト１００の長さ方向Ｗに、ダミーヒンジ１０２を超えて延びる延在部１１２とを備えている。
【００２０】
また、ヒンジシャフト１００は、その一端面１００ａに位置決め手段としての固定用フック１０３が設けられ、他端面１００ｂには、つまみ孔１０６ａを有するつまみ部１０６が設けられてなるものである。また、ヒンジシャフト１００には、その一端面１００ａから他端面１００ｂ側に向けて延ばされたスリット１０１が形成されている。そのため、一端面１００ａには一端開口部１０１ａが形成され、ヒンジシャフト１００の外周面（外面）１１０には外周開口部１０１ｂが形成されている。
【００２１】
また、外周面１１０のうち外周開口部１０１ｂの近傍には、長さ方向Ｗに沿って延ばされ、Ｒ状に面取りされた面取り部１０８が形成されている。
そして、スリット１０１内に、フレキシブル配線基板（導体）２２が挿通されている。フレキシブル配線基板２２は、図４に示すように、展開状態において、上面視ほぼＬ字状に形成されている。そして、このフレキシブル配線基板２２は、そのＬ字状の曲部２０を起点として互いに直交する方向に延びる延設部２８，２９を備えている。その曲部２０は、図５から図８に示すように、スリット１０１内に配置されている。そして、フレキシブル配線基板２２の一方の延設部（一端側）２８は、延在部１１２に形成された外周開口部１０１ｂから、ヒンジシャフト１００の長さ方向Ｗに直交する方向に一旦延ばされ、延在部１１２に、曲部２０を起点として約３／４回転に亘って巻回されている。また、他方の延設部（他端側）２９は、一端開口部１０１ａから前記長さ方向Ｗに一旦延ばされて、さらに図３に示すように９０度折り曲げられた状態になっている。すなわち、一方の延設部２８と他方の延設部２９とのヒンジシャフト１００からの延伸方向が互いに直交した状態になっている。
【００２２】
また、ヒンジシャフト１００の嵌め込み部１１１には、他方の延設部２９が通されて、図９および図１０に示すスリーブ状のダミーヒンジ（外筒部）１０２が嵌め込まれており、フレキシブル配線基板２２が位置ずれしないように所定の位置に取り付けられている。
なお、図５，６，７，８，１１では、ヒンジシャフト１００にダミーヒンジ１０２を組み付けていない状態を示しており、一方図１２では、組み付けた状態を示している。
【００２３】
このようにヒンジシャフト１００に組み付けられたダミーヒンジ１０２を取付孔１１３に取り付けることにより、図２および図３に示すように、ヒンジシャフト１００が軸線Ｌ方向に向けられて空洞部１６内において支持されている。その組み付けの際に、固定用フック１０３が、筐体２ａまたは２ｂ側の被係合部（図示省略）に嵌って、ヒンジシャフト１００がヒンジ部４内の所定位置に確実に収容される。
【００２４】
そしてこのように固定用フック１０３が嵌合することで、ヒンジシャフト１００はいわゆるダミーヒンジとなる。また、ダミーヒンジ１０２をヒンジシャフト１００に組み付けたことで、そのダミーヒンジ１０２の肉厚の分、段差ができることになり、その段差についても、筐体２ａまたは２ｂ側の係合部（図示省略）に嵌ることで、ヒンジシャフト１００がヒンジ部４内の所定位置に確実に収容される。
あるいは、ヒンジシャフト１００自体に図５に示す段差（位置決め手段）１０４を設けてもよい。そのようにして組み込まれた状態で、フレキシブル配線基板２２の一方の延設部２８の端部（一端）２８ａが一方の回路基板１５ａ上の素子に電気的に接続されるとともに、他方の延設部２９の端部（他端）２９ａが他方の回路基板１５ｂ上の素子に電気的に接続されるようになっている。
【００２５】
このように構成された本実施例に係る携帯電話機１における作用について、以下に説明する。
【００２６】
この携帯電話機１の開閉の際には、筐体２ａ，２ｂが相対的にヒンジ部４のヒンジシャフト１００を中心として回動するが、そのとき、フレキシブル配線基板２２はヒンジシャフト１００に巻回されているのであるから、フレキシブル配線基板２２の巻回された部分全体に亘って、筐体２ａ，２ｂが相対的に回動することに起因して掛かる曲げ応力が、均一に分散される。これにより、局部的な屈曲などの不具合の発生を防止することができる。
【００２７】
また、フレキシブル配線基板２２が巻回されるヒンジシャフト１００を、回動時に開閉トルクが発生しないダミーヒンジ１０２としたので、筐体２ａ，２ｂの開閉時に、その回動動作に起因したトルクがフレキシブル配線基板２２に直接的に掛かることを防止することができる。
【００２８】
また、ヒンジシャフト１００に設けられたスリット１０１にフレキシブル配線基板２２を挿通し、そのフレキシブル配線基板２２を巻回した状態でヒンジシャフト１００を空洞部１６内に収容しているので、フレキシブル配線基板２２の巻回が緩んだり位置ずれしたりすることを防止することができる。また、ヒンジシャフト１００の空洞部１６内への収容時における取り扱いを容易なものとすることができる。
【００２９】
また、ヒンジシャフト１００に設けられたスリット１０１にフレキシブル配線基板２２を挿通し、さらにその上をダミーヒンジ１０２で少なくとも部分的に覆って、外周面１１０とダミーヒンジ１０２の内向面との間にフレキシブル配線基板２２を挟み込むようにしたので、ヒンジシャフト１００からその外側へと延伸するフレキシブル配線基板２２を、さらに確実に所定の角度や姿勢に保つことができる。またそれにより、フレキシブル配線基板２２の捩じれや位置ずれ等を防止することができる。また、フレキシブル配線基板２２を空洞部１６へと収容する際の取り扱いを、さらに容易なものとすることができる。
【００３０】
また、ヒンジシャフト１００に設けられた固定用フック１０３（または段差１０４）によってヒンジ部４内におけるヒンジシャフト１００の位置決めが為されるようにしたので、そのヒンジシャフト１００と共にフレキシブル配線基板２２を空洞部１６へと収容する際の取り扱いを容易なものとすることができる。また、フレキシブル配線基板２２の位置ずれ等を防止することも可能となる。
【００３１】
さらに、スリット１０１の外周開口部１０１ｂであり、導体の差出し部に対応する位置に面取り部１０８が設けられているので、スリット１０１の外周開口部１０１ｂで折れ曲げ等の負荷応力がフレキシブル配線基板２２に対して印加されることを防止することができる。
【００３２】
次に、この携帯電話機１の製造方法について、その全工程のうちの特にフレキシブル配線基板２２をこの携帯電話機１に組み込む工程を中心として説明する。
【００３３】
まず、巻き付け工程により、以下のようにフレキシブル配線基板２２がヒンジシャフト１００に巻き付けられる。すなわち、図５に示すように、展開状態のフレキシブル配線基板２２をスリット１０１に挿通し、曲部２０がスリット１０１内に配されるようにする。そして、一方の延設部２８を、延在部１１２に形成された外周開口部１０１ｂから、前記長さ方向Ｗに直交する方向に延ばし、他方の延設部２９を、一端開口部１０１ａから前記長さ方向Ｗに延ばす。
そして、図６から図８に示すように、一方の延設部２８を延在部１１２に巻回させた後、図１１に示すように、一端開口部１０１ａから延ばされた他方の延設部２９をほぼ直角に曲げる。このとき、曲げ部分で稜線が直線的に目立って生じるほどにきつく曲げるのではなく、フレキシブル配線基板２２の弾性の限界範囲内で曲げるようにすることが望ましいことは言うまでもない。
【００３４】
このようにしてヒンジシャフト１００に巻回した後、嵌め込み工程によりダミーヒンジ１０２の嵌め込みを行う。すなわち、ダミーヒンジ１０２に他方の延設部２９を通してから、図１２に示すように、そのダミーヒンジ１０２を嵌め込み部１１１に嵌め込む。このとき、ヒンジシャフト１００とダミーヒンジ１０２との隙間にフレキシブル配線基板２２を挟持させることによって、より確実にフレキシブル配線基板２２が巻回状態に保持される。こうして、延在部１１２にフレキシブル配線基板２２を巻回しそれをダミーヒンジ１０２によって押えてなるユニット１０５が出来上がる。
【００３５】
続いて、取付工程により、ユニット１０５が取り付けられる。すなわち、図１３に示すように、ヒンジシャフト１００のつまみ部１０６を作業者等がピンセット２００等でつまんで、ダミーヒンジ１０２を取付孔１１４に挿入する。すると、所定の位置で、固定用フック１０３が被係合部に係合して、ダミーヒンジ１０２の取付位置が決められる。これにより、ヒンジシャフト１００の空洞部１６内での設置位置が容易に位置決めされる。
【００３６】
さらに、接続工程によりフレキシブル配線基板２２の接続が行われる。すなわち、一方の延設部２８の端部２８ａを一方の回路基板１５ａ上の素子に電気的に接続し、他方の延設部２９の端部２９ａを他方の回路基板１５ｂ上の素子に電気的に接続する。
【００３７】
このように、他方の延設部２９をダミーヒンジ１０２内に通し、一方の延設部２８をヒンジ部４の回動軸としても用いられるヒンジシャフト１００に巻回させた状態で、ユニット１０５としてフレキシブル配線基板２２を空洞部１６内に組み付けるようにしたので、フレキシブル配線基板２２の巻回が作業中に緩んだり位置ずれしたりすることなく、空洞部１６内に容易かつ確実にフレキシブル配線基板２２を収容することが可能となる。また、そのようにして組みつけられた後も、フレキシブル配線基板２２の巻回の全周に亘って掛かる曲げ応力が均一に分散させることができるので、局部的な屈曲などの不具合の発生を防止することが可能となる。
【００３８】
なお、フレキシブル配線基板２２をヒンジシャフト１００に保持させる構成のバリエーションとしては、上記のようなヒンジシャフト１００自体に設けられたスリット１０１に挿通させること以外に、図１４および図１５に一例を示したように、ヒンジシャフト１００の外周面１１０とダミーヒンジ１０２の内周面１１５との間に案内孔１０７を設けて、その案内孔１０７に他方の延設部２９を挿通させる構成なども可能である。
【００３９】
また、本実施例では、折り畳み型の携帯電話機１を例にとって説明したが、本発明は携帯電話機１に限定されるものではなく、ＰＤＡ等のような他の携帯端末装置にも適用可能であることは勿論である。
さらに、本発明の技術範囲は上記の実施例に限定されるものではなく、本発明の趣旨を逸脱しない範囲において、種々の変更を加えることが可能である。
【図面の簡単な説明】
【００４０】
【図１】本発明に係る携帯端末装置の一実施例に係る折り畳み式の携帯電話機を略平面状になるまで開いた状態とした場合の外観を示す概略平面図である。
【図２】同実施例における空洞部内において、ヒンジシャフトにフレキシブル配線基板が巻回された様子を示す概略斜視図である。
【図３】同実施例におけるヒンジシャフトおよびフレキシブル配線基板を示す図であって、図２とは異なる視点からの斜視図である。
【図４】同実施例におけるフレキシブル配線基板の平面図である。
【図５】同実施例におけるヒンジシャフトの斜視図である。
【図６】同実施例におけるフレキシブル配線基板を３／４巻回してなるヒンジシャフトの斜視図である。
【図７】同実施例におけるフレキシブル配線基板を１巻回してなるヒンジシャフトの側面図である。
【図８】同実施例におけるフレキシブル配線基板を１巻回してなるヒンジシャフトの、図６とは異なる視点からの斜視図である。
【図９】同実施例におけるダミーヒンジの斜視図である。
【図１０】同実施例におけるダミーヒンジの、図８とは反対側の視点からの斜視図である。
【図１１】ヒンジシャフトの他方の延設部をほぼ直角に曲げた状態を示す斜視図である。
【図１２】ダミーヒンジを組み付けた状態のヒンジシャフトの斜視図である。
【図１３】ヒンジシャフトを空洞部内の所定位置に装着する工程の一例を示した斜視図である。
【図１４】フレキシブル配線基板をヒンジシャフトに保持させる構成のバリエーションの一つを表した側面図である。
【図１５】フレキシブル配線基板をヒンジシャフトに保持させる構成のバリエーションの一つを表した斜視図である。
【符号の説明】
【００４１】
１  携帯電話機（携帯端末装置）
２ａ，２ｂ  筐体
４  ヒンジ部
１５ａ，１５ｂ  回路基板
１６  空洞部
２０  曲部
２２  フレキシブル配線基板（導体）
２８  延設部（一端側）
２８ａ  端部（一端）
２９  延設部（他端側）
２９ａ  端部（他端）
１００  ヒンジシャフト（軸部）
１０１  スリット
１０２  ダミーヒンジ（外筒部）
１０３  固定用フック（位置決め手段）
１０４  段差（位置決め手段）
１０７  案内孔
１０８  面取り部
１１０  外周面（外面）
１１２  延在部
１１３  取付孔
１１４  端壁部（内壁部）
１１５  内周面
Ｌ    軸線
Ｗ    長さ方向
【図１】
2006186638.tif 000003
【図２】
2006186638.tif 000004
【図３】
2006186638.tif 000005
【図４】
2006186638.tif 000006
【図５】
2006186638.tif 000007
【図６】
2006186638.tif 000008
【図７】
2006186638.tif 000009
【図８】
2006186638.tif 000010
【図９】
2006186638.tif 000011
【図１０】
2006186638.tif 000012
【図１１】
2006186638.tif 000013
【図１２】
2006186638.tif 000014
【図１３】
2006186638.tif 000015
【図１４】
2006186638.tif 000016
【図１５】
2006186638.tif 000017